(57)【要約】【課題】背面カバーの内面に一体形成されたアンテナと回路基板とのアンテナ接圧を十分に確保できる携帯端末を提供する。【解決手段】背面カバー４０の嵌合リブ４２の外周面には、係合凸部４５が設けられている。背面側キャビネット３０の筒状部３２の内周面には、係合凹部３６が設けられている。嵌合リブ４２を筒状部３２に嵌合させたときに、アンテナ４１の配線部４３が回路基板１５の接点端子１６に電気的に接続される位置で、係合凸部４５と係合凹部３６とが係合される。【選択図】図３
2014060652.tif 000002
【特許請求の範囲】
【請求項１】
表示パネルが収容される正面側キャビネットと、該正面側キャビネットに組み合わされて内部に回路基板が収容される背面側キャビネットと、該背面側キャビネットの背面部を覆う背面カバーとを備えた携帯端末であって、
前記背面カバーの内面に一体形成されたアンテナと、
前記背面カバーの内面に立設された嵌合リブと、
一端が前記アンテナに電気的に接続され、他端が前記嵌合リブの先端面に露出するように、該嵌合リブに埋設された配線部と、
前記背面側キャビネットの背面部に設けられて前記嵌合リブが嵌合される筒状部と、
前記回路基板から前記筒状部内に突出して延びる接点端子とを備え、
前記嵌合リブの外周面又は前記筒状部の内周面の一方には係合凹部が設けられ、他方には前記配線部の他端が前記接点端子に電気的に接続される位置で該係合凹部に係合する係合凸部が設けられていることを特徴とする携帯端末。
【請求項２】
請求項１において、
前記筒状部における前記背面カバー側の端面、又は前記嵌合リブの先端面には、周方向に沿って窪んだスリット溝が形成されていることを特徴とする携帯端末。
【請求項３】
請求項１又は２において、
前記嵌合リブに嵌め込まれて前記背面側キャビネットの背面部と前記背面カバーとの隙間をシールするシールリングを備えたことを特徴とする携帯端末。
【請求項４】
請求項１乃至３のうち何れか１つにおいて、
前記係合凹部は、前記筒状部の内周面に設けられる一方、前記係合凸部は、前記嵌合リブの外周面に設けられ、
前記筒状部における前記背面カバー側の内周縁部及び前記係合凸部における前記背面部側の端部には、それぞれテーパー状の面取り部が形成されていることを特徴とする携帯端末。
【請求項５】
請求項１乃至３のうち何れか１つにおいて、
前記係合凹部は、前記嵌合リブの外周面に設けられる一方、前記係合凸部は、前記筒状部の内周面に設けられ、
前記嵌合リブの先端側の外周縁部及び前記係合凸部における前記背面カバー側の端部には、それぞれテーパー状の面取り部が形成されていることを特徴とする携帯端末。
【発明の詳細な説明】
【技術分野】
【０００１】
本発明は、携帯端末に関するものである。
【背景技術】
【０００２】
従来より、アンテナが内蔵された移動通信端末機が知られている（例えば、特許文献１参照）。この移動通信端末機では、射出成形によってアンテナパターンをケースに埋設させるとともに、アンテナパターンから延長したインターコネクションピンをケースから露出させて回路基板に接続するようにしている。
【０００３】
ここで、ケース内部に収容された充電池を交換可能な構成とする場合には、ケース背面部を電池カバーで覆い、この電池カバーの内面にアンテナパターンを一体形成することが行われる。
【先行技術文献】
【特許文献】
【０００４】
【特許文献１】特開２０１０−２０６７９２号公報
【発明の概要】
【発明が解決しようとする課題】
【０００５】
しかしながら、電池カバーに対してアンテナを一体形成した場合には、電池カバーの開閉作業を繰り返すことで、アンテナの接点と回路基板の接点との導通状態が悪化してしまうという問題がある。
【０００６】
具体的に、アンテナの接点と回路基板の接点とは、電池カバーをケースに嵌め込んだときに互いの接点同士が導通するようなアンテナ接圧となっている。ところが、電池カバーの開閉作業を繰り返すと、電池カバーをケースに嵌め込むための嵌合爪が摩耗したり、電池カバー自体が反ってしまうことで、アンテナ接圧が十分に確保できなくなるという問題があった。
【０００７】
本発明は、かかる点に鑑みてなされたものであり、その目的は、背面カバーの内面に一体形成されたアンテナと回路基板とのアンテナ接圧を十分に確保できる携帯端末を提供することにある。
【課題を解決するための手段】
【０００８】
本発明は、表示パネルが収容される正面側キャビネットと、該正面側キャビネットに組み合わされて内部に回路基板が収容される背面側キャビネットと、該背面側キャビネットの背面部を覆う背面カバーとを備えた携帯端末を対象とし、次のような解決手段を講じた。
【０００９】
すなわち、第１の発明は、前記背面カバーの内面に一体形成されたアンテナと、
前記背面カバーの内面に立設された嵌合リブと、
一端が前記アンテナに電気的に接続され、他端が前記嵌合リブの先端面に露出するように、該嵌合リブに埋設された配線部と、
前記背面側キャビネットの背面部に設けられて前記嵌合リブが嵌合される筒状部と、
前記回路基板から前記筒状部内に突出して延びる接点端子とを備え、
前記嵌合リブの外周面又は前記筒状部の内周面の一方には係合凹部が設けられ、他方には前記配線部の他端が前記接点端子に電気的に接続される位置で該係合凹部に係合する係合凸部が設けられていることを特徴とするものである。
【００１０】
第１の発明では、アンテナの配線部と回路基板の接点端子とのアンテナ接圧を十分に確保することができる。具体的に、アンテナの配線部と回路基板の接点端子との近傍位置に、係合凸部と係合凹部とが設けられているので、係合凸部と係合凹部とを係合させると、配線部と接点端子とを確実に導通状態とすることができ、アンテナ接圧を十分に確保することができる。
【００１１】
第２の発明は、第１の発明において、
前記筒状部における前記背面カバー側の端面、又は前記嵌合リブの先端面には、周方向に沿って窪んだスリット溝が形成されていることを特徴とするものである。
【００１２】
第２の発明では、嵌合リブを筒状部に嵌合する際に、筒状部の内周縁部又は嵌合リブの外周縁部がスリット溝側に弾性変形するので、嵌合作業を行いやすくなる。
【００１３】
第３の発明は、第１又は第２の発明において、
前記嵌合リブに嵌め込まれて前記背面側キャビネットの背面部と前記背面カバーとの隙間をシールするシールリングを備えたことを特徴とするものである。
【００１４】
第３の発明では、背面側キャビネットの背面部と背面カバーとの隙間をシールリングで塞ぐことで、防水性能や防塵性能を高めることができる。
【００１５】
第４の発明は、第１乃至第３の発明のうち何れか１つにおいて、
前記係合凹部は、前記筒状部の内周面に設けられる一方、前記係合凸部は、前記嵌合リブの外周面に設けられ、
前記筒状部における前記背面カバー側の内周縁部及び前記係合凸部における前記背面部側の端部には、それぞれテーパー状の面取り部が形成されていることを特徴とするものである。
【００１６】
第４の発明では、テーパー状の面取り部によって、嵌合リブを筒状部に対してスムーズに嵌合することができる。
【００１７】
第５の発明は、第１乃至第３の発明のうち何れか１つにおいて、
前記係合凹部は、前記嵌合リブの外周面に設けられる一方、前記係合凸部は、前記筒状部の内周面に設けられ、
前記嵌合リブの先端側の外周縁部及び前記係合凸部における前記背面カバー側の端部には、それぞれテーパー状の面取り部が形成されていることを特徴とするものである。
【００１８】
第５の発明では、テーパー状の面取り部によって、嵌合リブを筒状部に対してスムーズに嵌合することができる。
【発明の効果】
【００１９】
本発明によれば、アンテナの配線部と回路基板の接点端子との近傍位置に、係合凸部と係合凹部とが設けられているので、係合凸部と係合凹部とを係合させると、配線部と接点端子とを確実に導通状態とすることができ、アンテナ接圧を十分に確保することができる。
【図面の簡単な説明】
【００２０】
【図１】本発明の実施形態１に係る携帯端末の構成を示す側面断面図である。
【図２】嵌合リブを筒状部に嵌合する前の状態を示す側面断面図である。
【図３】嵌合リブを筒状部に嵌合させた状態を示す図２相当図である。
【図４】本実施形態２に係る携帯端末において嵌合リブを筒状部に嵌合する前の状態を示す側面断面図である。
【図５】嵌合リブを筒状部に嵌合させた状態を示す図４相当図である。
【図６】本実施形態３に係る携帯端末の図４相当図である。
【図７】本実施形態３に係る携帯端末の図５相当図である。
【図８】本実施形態４に係る携帯端末の図４相当図である。
【図９】本実施形態４に係る携帯端末の図５相当図である。
【発明を実施するための形態】
【００２１】
以下、本発明の実施形態を図面に基づいて説明する。なお、以下の好ましい実施形態の説明は、本質的に例示に過ぎず、本発明、その適用物或いはその用途を制限することを意図するものではない。
【００２２】
図１に示すように、携帯端末１０は、正面側キャビネット２０と、正面側キャビネット２０に組み合わされた背面側キャビネット３０と、背面側キャビネット３０全体を覆う背面カバー４０とを備えている。
【００２３】
正面側キャビネット２０の正面側には、表示パネル１１が収容されている。背面側キャビネット３０は、矩形皿状の樹脂成形品で形成され、正面側キャビネット２０と組み合わせることで、内部に充電池１２と回路基板１５とが収容される。
【００２４】
背面カバー４０は、矩形皿状の樹脂成形品で形成されている。図２及び図３に示すように、背面カバー４０の周縁部には、背面側キャビネット３０に向かって突出した嵌合爪４０ａが一体形成されている。背面側キャビネット３０の周縁部には、嵌合溝３０ａが形成されており、嵌合爪４０ａを嵌合溝３０ａに嵌め込むことで、背面カバー４０が背面側キャビネット３０に取り付けられる。
【００２５】
背面カバー４０の内面には、印刷又はメッキ処理によってアンテナ４１が一体形成されている。また、背面カバー４０の内面には、嵌合リブ４２が立設しており、嵌合リブ４２には、配線部４３が埋設されている。配線部４３の一端は、アンテナ４１に電気的に接続されている。配線部４３の他端は、嵌合リブ４２の先端面に露出している。嵌合リブ４２の外周面には、係合凸部４５が設けられている。
【００２６】
背面側キャビネット３０の背面部３１には、筒状部３２が設けられている。筒状部３２には、背面カバー４０の嵌合リブ４２が嵌合される。筒状部３２の内周面には、嵌合リブ４２の係合凸部４５に係合する係合凹部３６が設けられている。
【００２７】
回路基板１５には、接点端子１６が立設している。接点端子１６の先端部は、筒状部３２内に突出して延びている。そして、嵌合リブ４２を筒状部３２に嵌合させると、配線部４３の他端と接点端子１６の先端部とが電気的に接続される位置で係合凸部４５と係合凹部３６とが係合される。
【００２８】
このようにすれば、アンテナ４１の配線部４３と回路基板１５の接点端子１６とのアンテナ接圧を十分に確保することができる。具体的に、従来の携帯端末では、嵌合爪４０ａを嵌合溝３０ａに嵌め込むだけで、背面カバー４０を背面側キャビネット３０に取り付ける構造となっている。そのため、背面カバー４０の開閉作業を繰り返すと、嵌合爪４０ａが摩耗したり、背面カバー４０自体が反ってしまうことで、アンテナ接圧が十分に確保できなくなるという問題があった。
【００２９】
これに対し、本実施形態に係る携帯端末１０では、アンテナ４１の配線部４３と回路基板１５の接点端子１６との近傍位置で係合凸部４５と係合凹部３６とを係合させるようにしているから、配線部４３と接点端子１６とを確実に導通状態とすることができ、アンテナ接圧を十分に確保することができる。
【００３０】
《実施形態２》
図４に示すように、嵌合リブ４２には、シールリング４８が嵌め込まれている。そして、図５に示すように、背面カバー４０を背面側キャビネット３０に取り付けると、嵌合リブ４２の係合凸部４５が筒状部３２の係合凹部３６に係合されるとともに、背面側キャビネット３０の背面部３１と背面カバー４０との間にシールリング４８が挟持されて、その隙間がシールされる。
【００３１】
このように、背面側キャビネット３０の背面部３１と背面カバー４０との隙間をシールリング４８で塞ぐことで、防水性能や防塵性能を高めることができる。
【００３２】
《実施形態３》
図６及び図７に示すように、嵌合リブ４２の外周面には、係合凸部４５が設けられている。係合凸部４５における背面部３１側の端部には、テーパー状の面取り部４５ａが形成されている。
【００３３】
筒状部３２の内周面には、係合凹部３６が設けられている。筒状部３２における背面カバー４０側の内周縁部には、テーパー状の面取り部３２ａが形成されている。また、筒状部３２における背面カバー４０側の端面には、周方向に沿って窪んだスリット溝３７が形成されている。なお、図示しないが、筒状部３２におけるスリット溝３７よりも径方向内側の内周縁部は、その一部が切り欠かれて弾性変形可能となっている。
【００３４】
これにより、嵌合リブ４２を筒状部３２に嵌合する際に、筒状部３２の内周縁部がスリット溝３７側に弾性変形するので、嵌合作業を行いやすくなる。また、テーパー状の面取り部３２ａ，４５ａを設けているので、嵌合リブ４２を筒状部３２に対してスムーズに嵌合することができる。
【００３５】
《実施形態４》
図８及び図９に示すように、筒状部３２の内周面には、係合凸部３５が設けられている。係合凸部３５における背面カバー４０側の端部には、テーパー状の面取り部３５ａが形成されている。
【００３６】
嵌合リブ４２の外周面には、係合凹部４６が設けられている。嵌合リブ４２の先端部の外周縁部には、テーパー状の面取り部４２ａが形成されている。また、嵌合リブ４２の先端面には、周方向に沿って窪んだスリット溝４７が形成されている。なお、図示しないが、嵌合リブ４２におけるスリット溝４７よりも径方向外側の外周縁部は、その一部が切り欠かれて弾性変形可能となっている。
【００３７】
これにより、嵌合リブ４２を筒状部３２に嵌合する際に、嵌合リブ４２の外周縁部がスリット溝４７側に弾性変形するので、嵌合作業を行いやすくなる。また、テーパー状の面取り部３５ａ，４２ａを設けているので、嵌合リブ４２を筒状部３２に対してスムーズに嵌合することができる。
【産業上の利用可能性】
【００３８】
以上説明したように、本発明は、背面カバーの内面にアンテナが一体形成された携帯端末について有用である。
【符号の説明】
【００３９】
１０    携帯端末
１１    表示パネル
１５    回路基板
１６    接点端子
２０    正面側キャビネット
３０    背面側キャビネット
３１    背面部
３２    筒状部
３２ａ  面取り部
３５    係合凸部
３５ａ  面取り部
３６    係合凹部
３７    スリット溝
４０    背面カバー
４１    アンテナ
４２    嵌合リブ
４２ａ  面取り部
４３    配線部
４５    係合凸部
４５ａ  面取り部
４６    係合凹部
４７    スリット溝
４８    シールリング
【図１】
2014060652.tif 000003
【図２】
2014060652.tif 000004
【図３】
2014060652.tif 000005
【図４】
2014060652.tif 000006
【図５】
2014060652.tif 000007
【図６】
2014060652.tif 000008
【図７】
2014060652.tif 000009
【図８】
2014060652.tif 000010
【図９】
2014060652.tif 000011